(57)【要約】【課題】携帯端末装置と給湯装置との対応づけと、当該給湯装置に対する遠隔制御の種類の設定とを、簡便かつ正確に行うことが可能な給湯システムおよびプログラムを提供する。【解決手段】給湯システム１は、携帯端末装置３０と給湯装置１０との対応付けを受け付けるための受付処理を実行する制御部を備える。ここで、制御部は、受付処理において、さらに、携帯端末装置３０による給湯装置１０の遠隔制御の種類（たとえば遠隔操作、遠隔監視等）の選択を受け付ける。【選択図】図１
2020017900.tif 000002
【特許請求の範囲】
【請求項１】
外部通信網と接続可能な給湯装置を、サーバを介して、携帯端末装置により遠隔制御する給湯システムにおいて、
前記携帯端末装置と前記給湯装置との対応付けを受け付けるための受付処理を実行する制御部を備え、
前記制御部は、前記受付処理において、さらに、前記携帯端末装置による前記給湯装置の遠隔制御の種類の選択を受け付ける、
ことを特徴とする給湯システム。
【請求項２】
請求項１に記載の給湯システムにおいて、
前記制御部は、前記携帯端末装置と前記給湯装置との前記対応付けを前記サーバに送信するよりも前段階において、前記遠隔制御の種類の選択を受け付け、選択された前記遠隔制御の種類と前記対応付けを前記サーバに送信する、
ことを特徴とする給湯システム。
【請求項３】
請求項１または２に記載の給湯システムにおいて、
前記制御部は、前記受付処理において、前記遠隔制御の種類を選択するための操作部と、前記受付処理を確定させるための操作部とを含む受付画面を表示させ、前記受付処理を確定させるための前記操作部が操作されたことに応じて、選択された前記遠隔制御の種類と前記対応付けとを前記サーバに送信する、
ことを特徴とする給湯システム。
【請求項４】
請求項１ないし３の何れか一項に記載の給湯システムにおいて、
前記遠隔制御の種類は、遠隔操作を含み、
前記制御部は、同一の前記携帯端末装置に設定され得る前記遠隔操作の対象の前記給湯装置の数を、２つ以上の所定の数に制限する、
ことを特徴とする給湯システム。
【請求項５】
請求項１ないし４の何れか一項に記載の給湯システムにおいて、
前記遠隔制御の種類は、遠隔監視を含み、
前記制御部は、同一の前記携帯端末装置に設定され得る前記遠隔監視の対象の前記給湯装置の数を、２つ以上の所定の数に制限する、
ことを特徴とする給湯システム。
【請求項６】
請求項１ないし５の何れか一項に記載の給湯システムにおいて、
前記遠隔制御の種類は、遠隔操作と遠隔監視を含み、
前記制御部は、同一の前記携帯端末装置に設定され得る前記遠隔操作の対象の前記給湯装置の最大数を、同一の前記携帯端末装置に設定され得る前記遠隔監視の対象の前記給湯装置の最大数よりも少なく設定する、
ことを特徴とする給湯システム。
【請求項７】
請求項１ないし６の何れか一項に記載の前記制御部における少なくとも一部の機能を携帯端末装置のコンピュータに実行させるプログラム。
【請求項８】
請求項７に記載のプログラムにおいて、
前記給湯装置との対応付けを受け付けるとともに前記給湯装置に対する遠隔制御の種類を受け付ける受付機能を含む、
ことを特徴とするプログラム。
【請求項９】
請求項８に記載のプログラムにおいて、
前記受付機能は、前記遠隔制御の種類を選択するための操作部と、前記受付処理を確定させるための操作部とを含む受付画面を前記携帯端末装置の表示部に表示させる機能を含む、
ことを特徴とするプログラム。
【請求項１０】
請求項７ないし９の何れか一項に記載のプログラムにおいて、
前記遠隔制御の実行時に、前記遠隔制御の種類に応じて前記携帯端末装置の表示部に表示させる画面を変更する機能を含む、
ことを特徴とするプログラム。
【請求項１１】
請求項１０に記載のプログラムにおいて、
前記遠隔制御の種類は、遠隔操作と遠隔監視を含み、
前記画面を変更する機能は、前記遠隔操作時と前記遠隔監視時とを区別するための表示を前記画面に含ませる、
ことを特徴とするプログラム。
【発明の詳細な説明】
【技術分野】
【０００１】
本発明は、外部通信網と接続可能な給湯装置を携帯端末装置によって遠隔制御する給湯システム、および当該給湯システムと通信が可能な携帯端末装置に所定の制御を実行させるプログラムに関する。
【背景技術】
【０００２】
従来、給湯装置では、浴室やリビング、台所に設置されたリモートコントローラによって各種設定がなされていた。これに対し、最近では、携帯電話機等の携帯端末装置を用いて給湯装置に対する遠隔制御を行うシステムが検討されている。たとえば、以下の特許文献１には、携帯電話機を用いて給湯暖房機を遠隔制御するシステムが記載されている。
【先行技術文献】
【特許文献】
【０００３】
【特許文献１】特許第４７７１８４６号公報
【発明の概要】
【発明が解決しようとする課題】
【０００４】
上記のように携帯端末装置により給湯装置を遠隔制御するシチュエーションでは、自宅のみならず別宅や両親の自宅等、様々な建物に設置された給湯装置を携帯端末装置で遠隔制御したいとのニーズが生じ得る。ところが、使用者は、通常、携帯端末装置を１台しか所有していないことが多く、このため、１台の携帯端末装置で複数の給湯装置を遠隔制御することになる。
【０００５】
ここで、上記のように携帯端末装置で給湯装置を遠隔制御する場合には、携帯端末装置と、遠隔制御の対象とされる給湯装置とを互いに対応付ける作業が必要となる。その一方で、給湯装置の遠隔制御には、給湯装置に所定の設定を行うための遠隔操作や、給湯装置の状況を監視するための遠隔監視等、種々の種類が存在する。このため、使用者は、遠隔制御の種類を間違うことなく正確に、所望の給湯装置に割り当てて、自身の携帯端末装置と当該給湯装置との対応付けを行わなければならない。このような作業は、操作者にとって煩雑である。
【０００６】
かかる課題に鑑み、本発明は、携帯端末装置と給湯装置との対応づけと、当該給湯装置に対する遠隔制御の種類の設定とを、簡便かつ正確に行うことが可能な給湯システムおよびプログラムを提供することを目的とする。
【課題を解決するための手段】
【０００７】
本発明の第１の態様は、外部通信網と接続可能な給湯装置を、サーバを介して、携帯端末装置によって遠隔制御する給湯システムに関する。この態様に係る給湯システムは、前記携帯端末装置と前記給湯装置との対応付けを受け付けるための受付処理を実行する制御部を備える。ここで、前記制御部は、前記受付処理において、さらに、前記携帯端末装置による前記給湯装置の遠隔制御の種類の選択を受け付ける。
【０００８】
本態様に係る給湯システムによれば、受付処理において、携帯端末装置と給湯装置との対応付けとともに、給湯装置に対する遠隔制御の種類の選択が受け付けられる。よって、操作者は、携帯端末装置と給湯装置との対応づけと、当該給湯装置に対する遠隔制御の種類の設定とを、間違うことなく正確に行うことができる。また、受付処理において対応付けと遠隔制御の種類の設定が行えるため、操作者は、簡便に作業を進めることができる。
【０００９】
本態様に係る給湯システムにおいて、前記制御部は、前記携帯端末装置と前記給湯装置との前記対応付けを前記サーバに送信するよりも前段階において、前記遠隔制御の種類の選択を受け付け、選択された前記遠隔制御の種類と前記対応付けを前記サーバに送信する構成とされ得る。
【００１０】
携帯端末装置と給湯装置との対応付けがサーバに送信されると、この対応付けの適否がサーバにおいて判断される。このため、対応付けがサーバに送信された後に、遠隔制御の種類の選択が受け付けられるシーケンスでは、サーバによる判断が確定した後に遠隔制御の種類の選択が受け付けられることとなり、遠隔制御の種類の選択が受け付けられるまでに、所定のタイムラグが生じ得る。このため、操作者は、このタイムラグの間、遠隔制御の種類の選択を待たねばならない。また、このタイムラグにより作業が分断されることによって、操作者は、次に遠隔制御の種類を選択する際に、その選択を誤ることが起こり得る。
【００１１】
これに対し、上記構成によれば、携帯端末装置と給湯装置との対応付けをサーバに送信するよりも前段階において、遠隔制御の種類の選択が受け付けられるため、上記のようなタイムラグが生じることはない。よって、操作者は、簡便な作業で円滑かつ正確に、遠隔制御の種類の選択および設定を行うことができる。
【００１２】
本態様に係る給湯システムにおいて、前記制御部は、前記受付処理において、前記遠隔制御の種類を選択するための操作部と、前記受付処理を確定させるための操作部とを含む受付画面を表示させ、前記受付処理を確定させるための前記操作部が操作されたことに応じて、選択された前記遠隔制御の種類と前記対応付けとを前記サーバに送信する構成とされ得る。
【００１３】
この構成によれば、操作者は、受付画面に含まれる２種類の操作部を操作することにより、サーバに対する対応付けの送信と遠隔制御の種類の送信とを進めることができる。よって、操作者は、極めて簡便な作業により円滑かつ正確に、対応付けの設定と遠隔制御の種類の設定を行うことができる。
【００１４】
本態様に係る給湯システムにおいて、前記遠隔制御の種類は、遠隔操作を含み、前記制御部は、同一の前記携帯端末装置に設定され得る前記遠隔操作の対象の前記給湯装置の数を、２つ以上の所定の数に制限する構成とされ得る。
【００１５】
このように遠隔操作が可能な給湯装置の数を制限することにより、不意に給湯装置の設定が変更される可能性を抑えることができる。よって、給湯システムをより円滑かつ適切に運用することができる。なお、遠隔操作が可能な給湯装置の数は、携帯端末装置を保有する操作者自身が直接使用すると想定され得る給湯装置の数に制限されればよい。たとえば、遠隔操作が可能な給湯装置の数は、自宅、別宅およびその他の予備が２つの合計４つ程度に設定され得る。
【００１６】
本態様に係る給湯システムにおいて、前記遠隔制御の種類は、遠隔監視を含み、前記制御部は、同一の前記携帯端末装置に設定され得る前記遠隔監視の対象の前記給湯装置の数を、２つ以上の所定の数に制限する構成とされ得る。
【００１７】
このように遠隔操作が可能な給湯装置の数を制限することにより、不意に給湯装置の状況が第三者により参照されるリスクを抑えることができる。よって、給湯システムをより適切に運用することができる。なお、遠隔監視が可能な給湯装置の数は、携帯端末装置を保有する操作者が監視する想定され得る給湯装置の数に制限されればよい。たとえば、遠隔監視が可能な給湯装置の数は、自宅、別宅、自身の親の家、配偶者の親の家、自身の祖父母の家、配偶者の祖父母の家、およびその他の予備が４つの合計１０程度に設定され得る。
【００１８】
本態様に係る給湯システムにおいて、前記遠隔制御の種類は、遠隔操作と遠隔監視を含み、前記制御部は、同一の前記携帯端末装置に設定され得る前記遠隔操作の対象の前記給湯装置の最大数を、同一の前記携帯端末装置に設定され得る前記遠隔監視の対象の前記給湯装置の最大数よりも少なく設定する構成とされ得る。
【００１９】
上記のように、遠隔操作の対象として想定され得る給湯装置の数は、遠隔監視の場合に比べて少なくなり得る。よって、このように、隔操作の対象の前記給湯装置の最大数を遠隔監視の対象の前記給湯装置の最大数よりも少なく設定することにより、給湯システムを円滑かつ適切に運用することができる。
【００２０】
本発明の第２の態様は、携帯端末装置のコンピュータに所定の機能を実行させるプログラムに関する。この態様に係るプログラムは、上記第１の態様に係る制御部における少なくとも一部の機能を携帯端末装置のコンピュータに実行させる。
【００２１】
この態様に係るプログラムによれば、上記第１の態様と同様の効果が奏され得る。
【００２２】
本態様に係るプログラムは、前記給湯装置との対応付けを受け付けるとともに前記給湯装置に対する遠隔制御の種類を受け付ける受付機能を含み得る。
【００２３】
この受付機能によれば、携帯端末装置と給湯装置との対応付けとともに、給湯装置に対する遠隔制御の種類の選択が受け付けられる。よって、操作者は、携帯端末装置と給湯装置との対応づけと、当該給湯装置に対する遠隔制御の種類の設定とを、間違うことなく正確に行うことができる。また、受付処理において対応付けと遠隔制御の種類の設定が行えるため、操作者は、簡便に作業を進めることができる。
【００２４】
ここで、前記受付機能は、前記遠隔制御の種類を選択するための操作部と、前記受付処理を確定させるための操作部とを含む受付画面を前記携帯端末装置の表示部に表示させる機能を含み得る。
【００２５】
この機能によれば、操作者は、受付画面に含まれる２つの操作部を操作することにより、サーバに対する対応付けの送信と遠隔制御の種類の送信とを進めることができる。よって、操作者は、極めて簡便な作業により円滑かつ正確に、対応付けの設定と遠隔制御の種類の設定を行うことができる。
【００２６】
さらに、本態様に係るプログラムは、前記遠隔制御の実行時に、前記遠隔制御の種類に応じて前記携帯端末装置の表示部に表示させる画面を変更する機能を含み得る。
【００２７】
携帯端末装置に複数の給湯装置が対応付けられ、さらに、各給湯装置に対する遠隔制御の種類が個別に異なる場合、操作者において、対象の給湯装置に対してどのような遠隔制御を行おうとしているのかに混同が生じ得る。これに対し、上記の機能によって、遠隔制御の実行時に、遠隔制御の種類に応じて携帯端末装置の表示部に表示させる画面が変更されると、操作者は、現在、その給湯装置に対してどのような遠隔制御を行っているかを明確に把握することができる。よって、操作者は、所望の遠隔制御を円滑に進めることができる。
【００２８】
この場合、遠隔制御の種類は、たとえば、遠隔操作と遠隔監視を含み、前記画面を変更する機能は、前記遠隔操作時と前記遠隔監視時とを区別するための表示を前記画面に含ませるように設定され得る。
【００２９】
これにより、操作者は、画面に含まれた表示を参照することにより、その給湯装置に対して遠隔操作と遠隔制御の何れを行っているかを明確に把握することができる。よって、操作者は、所望の遠隔制御を円滑に進めることができる。
【００３０】
なお、「遠隔操作時と遠隔監視時とを区別するための表示」は、たとえば、画面の背景色を相違させる形態や、遠隔操作時と遠隔監視時とを区別するための文字や記号を画面に含ませる形態等、種々の形態によりなされ得る。
【発明の効果】
【００３１】
以上のとおり、本発明によれば、携帯端末装置と給湯装置との対応づけと、当該給湯装置に対する遠隔制御の種類の設定とを、簡便かつ正確に行うことが可能な給湯システムおよびプログラムを提供することができる。
【００３２】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００３３】
【図１】図１は、実施形態に係る給湯システムの構成を示す図である。
【図２】図２は、実施形態に係る給湯システムを構成する各機器の回路ブロックを示す図である。
【図３】図３（ａ）、（ｂ）は、それぞれ、実施形態に係る、給湯装置と携帯端末装置とをペアリングするための、台所リモコンと携帯端末装置における処理を示すフローチャートである。
【図４】図４（ａ）は、実施形態に係る、ペアリングの受付処理において、遠隔制御の種別を選択するための受付画面の構成を示す図である。図４（ｂ）、（ｃ）は、それぞれ、実施形態に係る、ペアリングの確認処理において携帯端末装置に表示される確認画面を示す図である。
【図５】図５（ａ）は、実施形態に係る、サーバにおいて管理される給湯装置と携帯端末装置とのペアリング情報の構成を示す図である。図５（ｂ）は、実施形態に係る、携帯端末装置において管理される給湯装置と携帯端末装置とのペアリング情報の構成を示す図である。図５（ｃ）は、実施形態に係る、ペアリング結果が台所リモコンから送信されたことに応じてサーバにおいて行われる、ペアリングの適否判定処理を示すフローチャートである。
【図６】図６（ａ）〜（ｃ）は、それぞれ、実施形態に係る、携帯端末装置を用いて遠隔制御を行う際に携帯端末装置に表示される画面を示す図である。
【図７】７（ａ）は、実施形態に係る、携帯端末装置から遠隔制御要求が送信されたことに応じてサーバにおいて行われる処理を示すフローチャートである。図７（ｂ）は、実施形態に係る、サーバから遠隔制御要求に対する応答が送信されたことに応じて携帯端末装置において行われる処理を示すフローチャートである。
【図８】図８（ａ）、（ｂ）は、それぞれ、実施形態に係る、遠隔制御がサーバにより受け付けられた場合に携帯端末装置に表示される画面を示す図である。
【図９】図９（ａ）は、変更例に係る、携帯端末装置において管理される給湯装置と携帯端末装置とのペアリング情報の構成を示す図である。図９（ｂ）は、変更例に係る、ペアリングの受付処理において携帯端末装置に表示される受付画面を示す図である。
【図１０】図１０（ａ）は、変更例に係る、遠隔制御の実行時において携帯端末装置に表示される受付画面を示す図である。図１０（ｂ）は、他の変更例に係る、遠隔制御の実行時において携帯端末装置に表示される遠隔監視画面を示す図である。
【発明を実施するための形態】
【００３４】
以下、本発明の実施形態について図面を参照して説明する。
【００３５】
図１は、実施形態に係る給湯システム１の構成を示す図である。
【００３６】
図１に示すように、給湯システム１は、給湯装置１０と、ルータ２０と、携帯端末装置３０と、外部通信網４０と、サーバ５０とを備える。
【００３７】
給湯装置１０は、給湯器１１と、リモートコントローラ１２、１３を備えている。給湯器１１は、ガスを燃料として湯を供給するガス給湯器である。給湯器１１により生成された湯は、給湯口１１ａにそれぞれ接続された配管を介して、台所の蛇口や、浴槽、カラン等に供給される。給湯器１１が、床暖房機能や、浴室暖房機能およびパネルヒータによる暖房機能を備える場合、これら機能を実現する機器に対して、給湯器１１から湯が供給される。
【００３８】
リモートコントローラ１２、１３は、給湯器１１に接続され、給湯装置１０の各機能について種々の設定を行うために用いられる。リモートコントローラ１２、１３は、それぞれ、表示部１２１、１３１と、入力部１２２、１３２とを備える。操作者は、表示部１２１、１３１に表示された画面に従って入力部１２２、１３２を操作することにより、湯張りや給湯温度調節等について、任意の設定を行うことができる。リモートコントローラ１２は、浴室に設置され、リモートコントローラ１３は、キッチン等に設置される。
【００３９】
以下、浴室に設置されるリモートコントローラ１２を、「浴室リモコン１２」と称し、キッチン等に設置されるリモートコントローラ１３を、「台所リモコン１３」と称する。
【００４０】
ルータ２０は、建物内（ここでは、宅内Ｈ１０）に存在する各機器を、外部通信網４０を介してサーバ５０に接続するための無線ルータである。ルータ２０には、ルータごとに個別に割り振られる識別子として、固有のＢＳＳＩＤ（Basic Service Set Identifier）が割り振られている。
【００４１】
台所リモコン１３は、無線通信により、ルータ２０に接続される。また、携帯端末装置３０が宅内Ｈ１０に存在する場合、携帯端末装置３０は、無線通信によりルータ２０に接続されて、サーバ５０と通信可能である。携帯端末装置３０は、たとえば、携帯電話機である。この他、携帯端末装置３０が、携帯型のタブレット端末等の他の携帯可能な端末装置であってもよい。外部通信網４０は、たとえば、インターネットである。
【００４２】
外部通信網４０には、給湯装置１０に対する遠隔操作および遠隔監視を管理するためのサーバ５０が接続されている。台所リモコン１３は、ルータ２０および外部通信網４０を介して、サーバ５０と通信を行う。携帯端末装置３０が宅内Ｈ１０に存在する場合、携帯端末装置３０は、ルータ２０および外部通信網４０を介してサーバ５０と通信を行う。また、携帯端末装置３０が宅外にある場合、携帯端末装置３０は、外部に設置されたルータ６０または基地局７０を介して外部通信網４０に接続され、サーバ５０と通信を行う。
【００４３】
図１の構成において、操作者は、宅内Ｈ１０と宅外の何れにおいても、携帯端末装置３０を用いて、給湯装置１０に対する遠隔操作または遠隔監視を行うことができる。後述のように、本実施形態では、携帯端末装置３０ごとに、遠隔制御の対象の給湯装置１０が予め対応付けられ。また、遠隔制御の対象の給湯装置１０に対して、遠隔制御の種類、すなわち、遠隔操作と遠隔制御の両方または何れか一方が予め設定される。本実施形態では、これらの対応付けと遠隔制御の種類が、携帯端末装置３０ごとに、サーバ５０で管理される。
【００４４】
携帯端末装置３０が宅内Ｈ１０と宅外の何れにある場合も、操作者から携帯端末装置３０に入力された設定要求は、外部通信網４０を介して、一旦、サーバ５０に送信される。これを受けて、サーバ５０は、設定要求を受信した携帯端末装置３０に予め対応付けられている給湯装置１０に対して、受信した設定要求を送信する。これにより、設定要求が、外部通信網４０およびルータ２０を介して、対応する給湯装置１０の台所リモコン１３に送信される。こうして、操作者が要求する内容の設定が、給湯装置１０に対して適用される。
【００４５】
また、給湯装置１０の状態情報は、所定周期で随時、台所リモコン１３からルータ２０を介してサーバ５０に送信される。サーバ５０は、受信した状態情報を、給湯装置１０ごとに管理する。操作者から携帯端末装置３０に入力された遠隔監視の閲覧要求は、外部通信網４０を介して、一旦、サーバ５０に送信される。これを受けて、サーバ５０は、閲覧要求を受信した携帯端末装置３０に予め対応付けられている給湯装置１０のうち、閲覧要求により指定された給湯装置１０の状態情報を、当該携帯端末装置３０に送信する。これにより、給湯装置１０の状態が、携帯端末装置３０において出力される。こうして、操作者は、給湯装置１０の状態を、宅内および宅外の両方において確認できる。
【００４６】
図２は、給湯システム１を構成する各機器の回路ブロックを示す図である。
【００４７】
給湯器１１は、制御部１１１と、記憶部１１２と、通信部１１３と、水位センサ１１４と、入室センサ１１５と、を備える。制御部１１１は、ＣＰＵ（Central Processing Unit）を備え、記憶部１１２に記憶されたプログラムに従って、給湯器１１内の各部の制御を行う。記憶部１１２は、メモリを備え、所定の制御プログラムを記憶する。通信部１１３は、制御部１１１からの制御に従って、浴室リモコン１２および台所リモコン１３と通信を行う。
【００４８】
水位センサ１１４は、給湯装置１０が接続された浴槽の水位を検出する。水位センサ１１４は、たとえば、浴槽に接続された配管内の水圧によって浴槽の水位を検出する。制御部１１１は、水位センサ１１４により検出される水位の変化によって、浴槽に対し人が入浴および退出したことを検出する。入室センサ１１５は、浴室に対する人の出入りを検出する。入室センサ１１５は、たとえば、赤外線を用いた人感センサである。制御部１１１は、入室センサ１１５の出力に基づいて、浴室に人が入ったことを検出する。
【００４９】
浴室リモコン１２は、上述の表示部１２１および入力部１２２の他、制御部１２３と、記憶部１２４と、通信部１２５とを備える。表示部１２１は、たとえば、液晶パネルにより構成される。入力部１２２は、温度設定ボタン等の各種操作ボタンを備える。表示部１２１が、タッチパネルであってもよい。制御部１２３は、ＣＰＵを備え、記憶部１２４に記憶されたプログラムに従って所定の制御を行う。記憶部１２４は、メモリを備え、所定の制御プログラムを記憶する。通信部１２５は、制御部１２３からの制御に従って、給湯器１１と通信を行う。
【００５０】
台所リモコン１３は、上述の表示部１３１および入力部１３２の他、制御部１３３と、記憶部１３４と、通信部１３５を備える。表示部１３１は、たとえば、液晶パネルにより構成される。入力部１３２は、各種操作ボタンを備える。表示部１３１が、タッチパネルであってもよい。制御部１３３は、ＣＰＵを備え、記憶部１３４に記憶されたプログラムに従って所定の制御を行う。記憶部１３４は、メモリを備え、所定の制御プログラムを記憶する。通信部１３５は、制御部１３３からの制御に従って、給湯器１１と通信を行う。
【００５１】
さらに、台所リモコン１３は、無線通信部１３６を備える。ここで、無線通信部１３６は、ルータ２０との間で無線通信が可能な無線通信モジュールである。無線通信部１３６（無線通信モジュール）には、宅内Ｈ１０に設定されたＬＡＮ（Local Area Network）上の機器を特定するためのＩＰアドレスが割り振られている。この他、台所リモコン１３は、音声を出力するためのスピーカを備えている。
【００５２】
携帯端末装置３０は、表示部３０１と、入力部３０２と、制御部３０３と、記憶部３０４と、無線通信部３０５とを備える。表示部３０１は、たとえば、液晶パネルにより構成される。入力部１３２は、各種操作ボタンと、表示部３０１に積層されたタッチパネルとを備える。
【００５３】
制御部３０３は、ＣＰＵを備え、記憶部３０４に記憶されたプログラムに従って所定の制御を行う。記憶部３０４は、メモリを備え、所定の制御プログラムを記憶する。無線通信部３０５は、制御部３０３からの制御に従って、ルータ２０と通信を行う。無線通信部３０５は、ルータ２０との間で無線通信が可能な無線通信モジュールである。無線通信部３０５にもＩＰアドレスが割り振られている。この他、携帯端末装置３０は、音声を出力するためのスピーカを備えている。
【００５４】
サーバ５０は、制御部５０１と、記憶部５０２と、通信部５０３を備える。制御部５０１は、ＣＰＵを備え、記憶部５０２に記憶されたプログラムに従って所定の制御を行う。記憶部５０２は、メモリおよびハードディスクを備え、所定の制御プログラムおよびデータベースを記憶する。通信部５０３は、制御部５０１からの制御に従って、所定の制御を行う。
【００５５】
上述のように、本実施形態では、予め、給湯装置１０に対して遠隔制御および遠隔監視を行うことが可能な携帯端末装置３０が、給湯装置１０に対応付けて、サーバ５０に登録される。すなわち、予め、給湯装置１０と携帯端末装置３０とがペアリングされ、ペアリングを示す情報が、サーバ５０において管理される。
【００５６】
本実施形態では、このペアリングが、給湯装置１０が設置された建物内のルータ２０を介して行われる。すなわち、携帯端末装置３０の所持者は、原則、給湯装置１０が設置された建物内に携帯端末装置３０を所持して立ち入らなければ、自身の携帯端末装置３０と給湯装置１０とをペアリングできない。これにより、悪意の第三者によって不当に、携帯端末装置３０と給湯装置１０とがペアリングされることを防止できる。よって、不当に遠隔制御および遠隔監視が行われるリスクを解消できる。
【００５７】
図３（ａ）、（ｂ）は、それぞれ、給湯装置１０と携帯端末装置３０とをペアリングするための、台所リモコン１３と携帯端末装置３０における処理を示すフローチャートである。
【００５８】
操作者は、宅内Ｈ１０において、携帯端末装置３０にインストールされた給湯システムのアプリケーションプログラムを起動し、携帯端末装置３０をペアリングモードに設定する。その後、操作者は、台所リモコン１３の入力部１３２に対し、ペアリングのための操作を行う。
【００５９】
こうして、台所リモコン１３に対してペアリング操作が行われると（Ｓ１１：ＹＥＳ）、台所リモコン１３の制御部１３３は、ペアリングのためのアナウンスをブロードキャストで送信する（Ｓ１２）。携帯端末装置３０が宅内Ｈ１０にある場合、このアナウンスは携帯端末装置３０により受信される。
【００６０】
携帯端末装置３０の制御部３０３は、このアナウンスを受信すると（Ｓ２１：ＹＥＳ）、表示部３０１に、当該給湯装置１０に対して遠隔操作と遠隔監視の何れの遠隔制御を設定するかを選択するための受付画面を表示させる（Ｓ２２）。操作者は、この受付画面に対して所望の遠隔制御の種別を選択するための入力を行う。
【００６１】
図４（ａ）は、遠隔制御の種別を選択するための受付画面４１０の構成を示す図である。
【００６２】
受付画面４１０には、メッセージ４１１と、選択ボタン４１２、４１３と、確定ボタン４１４が含まれている。メッセージ４１１は、遠隔制御の種別の選択を促す文章となっている。選択ボタン４１２、４１３は、それぞれ、遠隔操作と遠隔監視を遠隔制御の種別として選択するための操作部である。確定ボタン４１４は、受付処理を確定させるための操作部である。確定ボタン４１４は、選択ボタン４１２、４１３の少なくとも一方が選択された場合に操作可能となる。選択ボタン４１２、４１３の両方を選択することも可能である。
【００６３】
操作者は、選択ボタン４１２、４１３のうち、自身が当該給湯装置１０に設定しようとする遠隔制御の種別に対応する選択ボタンにタッチする。これにより、たとえば、タッチされた選択ボタンに所定の色が付されてハイライト表示される。選択を誤った場合、操作者は、再度、その選択ボタンにタッチする。これにより、選択が解除される。こうして、遠隔制御の種別を選択した後、操作者は、確定ボタン４１４にタッチする。これにより、受付処理が確定する。
【００６４】
図３（ｂ）に戻り、携帯端末装置３０の制御部３０３は、操作者により確定ボタン４１４が操作されて確定操作がなされると（Ｓ２３：ＹＥＳ）、自身のＩＤ情報（ＩＰアドレス等）と、操作者により選択された遠隔制御の種別（遠隔操作／遠隔監視）とを含むペアリング要求を、台所リモコン１３に送信する（Ｓ２４）。その後、制御部３０３は、台所リモコン１３からの応答を待つ（Ｓ２５）。
【００６５】
台所リモコン１３の制御部１３３は、アナウンスの送信から所定時間以内に携帯端末装置３０からペアリング要求を受信すると（Ｓ１３：ＹＥＳ）、ペアリング結果をサーバ５０に送信する（Ｓ１４）。このペアリング結果には、ペアリング要求に含まれた携帯端末装置３０のＩＤ情報および遠隔制御の種別（遠隔操作／遠隔監視）ともに、給湯装置１０（ここでは、台所リモコン１３）のＩＤ情報（ＩＰアドレス等）が含まれる。他方、所定時間以内にペアリング要求を受信しなかった場合（Ｓ１４：ＮＯ）、制御部１３３は、ペアリング結果を送信することなく、処理を終了する。
【００６６】
ステップＳ１４においてペアリング結果を送信した後、台所リモコン１３の制御部１３３は、このペアリング結果がサーバ５０によって受け付けられたか否かを示す応答がサーバ５０から送信されるのを待つ（Ｓ１５）。ペアリング結果の受付可否に関する処理は、追って、図５（ｃ）を参照して説明する。制御部１３３は、サーバ５０から応答を受信すると（Ｓ１５：ＹＥＳ）、ペアリング結果が受け付けられたか否かの情報と自身のＩＤ情報とを含むペアリング応答を携帯端末装置３０に送信する（Ｓ１６）。
【００６７】
携帯端末装置３０の制御部３０３は、台所リモコン１３からペアリング応答を受信すると（Ｓ２５：ＹＥＳ）、ペアリングが受け付けられたか否かを操作者に提示する確認処理を実行し（Ｓ２６）、処理を終了する。
【００６８】
図４（ｂ）、（ｃ）は、確認処理において携帯端末装置３０に表示される確認画面４２０を示す図である。
【００６９】
図４（ｂ）は、ペアリングが受け付けられた場合の確認画面４２０を示している。確認画面４２０には、メッセージ４２１ａと、種別ボタン４２２、４２３と、確認ボタン４２４が含まれている。メッセージ４２１ａは、給湯装置１０とのペアリングと、選択された遠隔制御の種別とがサーバ５０に登録されたことを報知する文章となっている。種別ボタン４２２、４２３には、それぞれ、遠隔操作と遠隔監視が対応付けられている。
【００７０】
種別ボタン４２２、４２３のうち、受け付けられた遠隔制御の種別に対応する種別ボタンがハイライト表示される。ここでは、種別ボタン４２２がハイライト表示され、遠隔操作が受け付けられたことが示されている。これにより、操作者は、自身が選択した遠隔制御の種別が、給湯装置１０とのペアリングとともに、サーバ５０に登録されたことを確認できる。その後、操作者は、確認ボタン４２４にタッチする。これにより、受付処理が終了する。
【００７１】
図４（ｃ）は、ペアリングが受け付けられなかった場合の確認画面４２０を示している。確認画面４２０には、メッセージ４２１ｂと、種別ボタン４２２、４２３と、確認ボタン４２４が含まれている。メッセージ４２１ｂは、選択された遠隔制御の種別が登録できないこと、このため、給湯装置１０とのペアリングが登録されなかったことを報知する文章となっている。また、種別ボタン４２２、４２３のうち、登録できない遠隔制御の種別に対応する種別ボタンがグレイアウト表示される。ここでは、種別ボタン４２２がグレイアウト表示され、遠隔操作が登録できないことが示されている。これにより、操作者は、自身が選択した遠隔制御の種別が、サーバ５０に登録できないことを確認できる。その後、操作者は、確認ボタン４２４にタッチする。これにより、受付処理が終了する。
【００７２】
図５（ａ）は、サーバ５０において管理される給湯装置１０と携帯端末装置３０とのペアリング情報の構成を示す図である。
【００７３】
図５（ａ）に示すように、サーバ５０では、携帯端末装置３０ごとに、当該携帯端末装置３０にペアリングされた給湯装置１０のＩＤ情報と、各給湯装置１０に対して当該携帯端末装置３０が実行可能な遠隔制御の種別（遠隔操作／遠隔監視）とが管理されている。具体的には、サーバ５０の記憶部５０２に給湯システム１の制御に用いるデータベースが構築され、このデータベースにおいて、図５（ａ）の情報が携帯端末装置３０ごとに管理されている。
【００７４】
図５（ｂ）は、携帯端末装置３０において管理される給湯装置１０と携帯端末装置３０とのペアリング情報の構成を示す図である。
【００７５】
図５（ｂ）に示すように、携帯端末装置３０では、ペアリングを行った給湯装置１０のＩＤ情報（ここでは、台所リモコン１３のＩＤ情報）が管理されている。また、各給湯装置１０に対して、操作者が設定した名称が対応付けられている。名称の設定は、たとえば、図４（ｂ）の確認画面４２０において確認ボタン４２４が操作された後に、名称設定用の画面が表示されて行われる。操作者は、自身にとって分かり易い名称を、各給湯装置１０に付することができる。携帯端末装置３０におけるペアリング情報の登録は、台所リモコン１３から受信したペアリング応答に、ペアリング結果が受け付けられたことを示す情報が含まれる場合に行われる。ペアリング情報は、携帯端末装置３０の記憶部３０４に保持される。
【００７６】
図５（ｃ）は、図３（ａ）のステップＳ１４においてペアリング結果が台所リモコン１３から送信されたことに応じてサーバ５０において行われる、ペアリングの適否判定処理を示すフローチャートである。
【００７７】
台所リモコン１３からペアリング結果を受信すると（Ｓ３１：ＹＥＳ）、サーバ５０の制御部５０１は、ペアリング結果に含まれる遠隔制御の種別を参照し、当該遠隔制御の種別を、ペアリング結果に含まれるＩＤ情報の携帯端末装置３０に適用できるか否かを確認する（Ｓ３２）。
【００７８】
すなわち、ここでは、１つの携帯端末装置３０に対して適用可能な遠隔制御の数が、遠隔制御の種別ごとに規定されている。たとえば、１つの携帯端末装置３０に対して適用可能な遠隔操作の最大数は４つに設定され、１つの携帯端末装置３０に対して適用可能な遠隔監視の最大数は１０に設定される。サーバ５０の制御部５０１は、ペアリング結果に含まれる遠隔制御の種別の設定数が、ペアリング結果に含まれるＩＤ情報の携帯端末装置３０において、既に最大数に到達しているか否かを判定する。そして、制御部５０１は、設定数が最大数に到達していない場合は、当該種別を当該携帯端末装置３０に適用できると判定し、設定数が最大数に到達している場合は、当該種別を当該携帯端末装置３０に適用できないと判定する。
【００７９】
こうして、遠隔制御の種別の適用の可否を確認した後、制御部５０１は、遠隔制御の種別の適用の可否を含む応答を、台所リモコン１３に送信する（Ｓ３３）。台所リモコン１３では、図３（ａ）のステップＳ１５でこの応答を受信して、上述のステップＳ１５の処理を実行する。
【００８０】
なお、ペアリング結果に含まれた遠隔制御の種別が当該携帯端末装置３０に適用可能である場合、サーバ５０の制御部５０１は、ペアリング結果に含まれた携帯端末装置３０のＩＤ情報、給湯装置１０のＩＤ情報および遠隔制御の種別を互いに対応付けて、図５（ａ）に示したペアリング情報に登録する。他方、ペアリング結果に含まれた遠隔制御の種別が当該携帯端末装置３０に適用可能でない場合、サーバ５０の制御部５０１は、ペアリング結果を図５（ａ）のペアリング情報に登録することなく処理を終了する。
【００８１】
次に、ペアリング情報を用いて行われる遠隔制御の流れについて説明する。
【００８２】
図６（ａ）〜（ｃ）は、携帯端末装置３０を用いて遠隔制御を行う際に携帯端末装置３０に表示される画面を示す図である。
【００８３】
操作者が自身の携帯端末装置３０において給湯システム１のためのアプリケーションプログラムを起動した後、所定の操作を行うと、図６（ａ）の選択画面５１０が表示される。この選択画面５１０には、メッセージ５１１と、選択キー群５１２と、確認ボタン５１３が含まれる。メッセージ５１１は、遠隔制御の対象を選択することを促す文章となっている。
【００８４】
選択キー群５１２には、選択候補を示す選択キー５１２ａが上下に並んで含まれている。選択候補は、図５（ｂ）に示したペアリンク情報の名称によって規定される。各選択キー５１２ａには、それぞれ、図５（ｂ）に示したペアリンク情報の名称が付されている。選択キー５１２ａは、指を選択キー群５１２の位置に当てて上下にスライドさせることにより、スクロールできる。操作者は、遠隔制御を行おうとする給湯装置１０に付した名称の選択キー５１２ａにタッチして、遠隔制御の対象を選択する。選択された選択キー５１２ａは、ハイライト表示される。選択対象を誤った場合、操作者は、再度、選択キー５１２ａにタッチする。これにより、選択が解除される。
【００８５】
こうして対象を選択した後、操作者は、確認ボタン５１３にタッチする。これにより、図６（ｂ）に示す選択画面５２０が表示される。操作者は、この選択画面５２０を用いて、遠隔制御の種別を選択するための操作を行う。
【００８６】
選択画面５２０には、メッセージ５２１と、選択ボタン５２２、５２３と、確定ボタン５２４と、戻るボタン５２５とが含まれている。メッセージ５１１は、遠隔制御の種別を選択することを促す文章となっている。選択ボタン５２２、５２３は、それぞれ、遠隔操作と遠隔監視を遠隔制御の種別として選択するための操作部である。確定ボタン５２４は、選択処理を確定させるための操作部である。確定ボタン５２４は、選択ボタン５２２、５２３の何れか一方が選択された場合に操作可能となる。戻るボタン５２５は、画面を選択画面５１０に戻すためのボタンである。
【００８７】
操作者は、選択ボタン５２２、５２３のうち、自身が行おうとする遠隔制御の種別に対応する選択ボタンにタッチして、遠隔制御の種別を選択する。選択された選択ボタンは、ハイライト表示される。選択対象を誤った場合、操作者は、再度、選択ボタンにタッチする。これにより、選択が解除される。画面を戻す場合、操作者は戻るボタン５２５にタッチする。
【００８８】
選択ボタン５２２、５２３の何れか一方が選択された後、操作者が確定ボタン５２４にタッチすると、選択処理が確定し、携帯端末装置３０からサーバ５０に遠隔制御要求が送信される。この遠隔制御要求は、当該携帯端末装置３０のＩＤ情報と、操作者により選択された遠隔制御の対象の給湯装置１０のＩＤ情報、および操作者に選択された遠隔制御の種別（遠隔操作／遠隔監視）が含まれている。
【００８９】
図７（ａ）は、携帯端末装置３０から遠隔制御要求が送信されたことに応じてサーバ５０において行われる処理を示すフローチャートである。
【００９０】
携帯端末装置３０から遠隔制御要求を受信すると（Ｓ４１：ＹＥＳ）、サーバ５０の制御部５０１は、遠隔制御要求に含まれる遠隔制御の種別の適否を判定する（Ｓ４２）。具体的には、制御部５０１は、遠隔制御要求に含まれる携帯端末装置３０のＩＤ情報および給湯装置１０のＩＤ情報を参照し、これら２つのＩＤ情報に対応付けられた遠隔制御の種別を、図５（ａ）のペアリング情報から抽出する。そして、制御部５０１は、抽出した遠隔制御の種別と遠隔制御要求に含まれる遠隔制御の種別とを対照し、両者が一致するか否かによって、遠隔制御要求に含まれる遠隔制御の種別の適否を判定する。
【００９１】
遠隔制御の種別が適正である場合（Ｓ４２：ＹＥＳ）、制御部５０１は、遠隔制御の種別が適正であることを示す情報を含む応答を、携帯端末装置３０に送信する（Ｓ４３）。他方、遠隔制御の種別が適正でない場合（Ｓ４２：ＮＯ）、制御部５０１は、遠隔制御の種別が適正でないことを示す情報を含む応答を、携帯端末装置３０に送信する（Ｓ４４）。なお、ステップＳ４３の処理を行った場合、制御部５０１は、遠隔制御の対象となる給湯装置１０の現在の状態を示す状態情報を、随時、携帯端末装置３０に送信する。
【００９２】
図７（ｂ）は、サーバ５０から遠隔制御要求に対する応答が送信されたことに応じて携帯端末装置３０において行われる処理を示すフローチャートである。
【００９３】
サーバ５０から遠隔制御要求の応答を受信すると（Ｓ５１：ＹＥＳ）、携帯端末装置３０の制御部３０３は、遠隔制御要求の応答に含まれる遠隔制御の種別の適否を示す情報を参照し、遠隔制御の種別が適正であると承認されたか否かを判定する（Ｓ５２）。遠隔制御の種別が適正であると承認された場合（Ｓ５２：ＹＥＳ）、制御部３０３は、遠隔制御の種別に応じた画面を、表示部３０１に表示させる（Ｓ５３）。他方、遠隔制御の種別が適正であると承認されなかった場合（Ｓ５２：ＹＥＳ）、制御部３０３は、遠隔制御が受け付けられなかったことを示す画面を、表示部３０１に表示させる（Ｓ５４）。
【００９４】
図６（ｃ）は、遠隔制御が受け付けられなかった場合に携帯端末装置３０に表示される確認画面５３０を示す図である。
【００９５】
確認画面５３０には、メッセージ５３１と、種別ボタン５３２、５３３と、確認ボタン５３４が含まれている。メッセージ５３１は、選択された遠隔制御の種別が選択できないものであることを報知する文章となっている。また、種別ボタン５３２、５３３のうち、選択できない遠隔制御の種別に対応する種別ボタンがグレイアウト表示される。ここでは、種別ボタン５３２がグレイアウト表示され、遠隔操作が選択できないことが示されている。これにより、操作者は、自身が選択した遠隔制御の種別が当該給湯装置１０に対する遠隔制御として選択できないことを確認できる。その後、操作者は、確認ボタン５３４にタッチする。これにより、確認処理が終了する。
【００９６】
図８（ａ）、（ｂ）は、遠隔制御が受け付けられた場合に携帯端末装置３０に表示される画面を示す図である。図８（ａ）には、遠隔制御として遠隔監視が選択された場合の遠隔監視画面６００が示され、図８（ｂ）には、遠隔制御として遠隔操作が選択された場合の遠隔操作画面７００が示されている。
【００９７】
まず、図８（ａ）を参照して、遠隔監視画面６００は、領域６１０、６２０、６３０に区分されている。領域６１０には、名称表示部６１１と、給湯温度表示部６１２と、風呂温度表示部６１３と、風呂湯量表示部６１４と、浴槽画像６１５と、入浴時間表示部６１６と、が含まれている。
【００９８】
名称表示部６１１には、遠隔監視が適用される給湯装置１０の名称が表示される。名称表示部６１１の表示には、図５（ｂ）のペアリング情報に含まれる名称が用いられる。給湯温度表示部６１２、風呂温度表示部６１３および風呂湯量表示部６１４には、それぞれ、図７（ａ）のステップＳ４３の処理の後、随時、サーバ５０から携帯端末装置３０が受信した状態情報に基づいて、現在の給湯温度、風呂温度および風呂湯量の設定状態が示される。
【００９９】
浴槽画像６１５には、現在の風呂湯量の設定状態が浴槽に溜められる水の画像として表示される。浴槽に人が入浴中であることが状態情報に含まれている場合、浴槽画像６１５に、人が浴槽に入浴していることを示す画像Ｍ１が付加される。また、入浴時間表示部６１６には、状態情報に基づいて、浴槽に対する現在の入浴時間が表示される。
【０１００】
領域６２０には、画面が遠隔操作画面７００である場合に所定の設定等を行うためのボタン６２１〜６２４が表示される。ボタン６２１〜６２４は、それぞれ、追い焚き機能の設定、風呂自動機能の設定、風呂洗浄機能の設定および風呂タイマー機能の設定のためのボタンである。ここでは、画面が遠隔監視画面６００であるため、これらのボタンは無効化されている。領域６３０には、遠隔監視の対象となる機能を切り替えるための４つのボタンが表示される。
【０１０１】
操作者は、遠隔監視画面６００を参照することにより、名称表示部６１１に表示された給湯装置１０の状況を確認できる。図８（ａ）の例では、操作者は、名称表示部６１１に表示された給湯装置１０における、風呂の状況を種々確認することができる。これにより、操作者は、名称表示部６１１に表示された給湯装置１０の場所から離れていても、当該給湯装置の状況を的確に把握できる。
【０１０２】
次に、図８（ｂ）を参照して、遠隔操作画面７００について説明する。遠隔操作画面７００のレイアウトは、図８（ａ）に示した遠隔監視画面６００と同様である。遠隔操作画面７００には、遠隔監視画面６００と同様、領域７１０、７２０、７３０に区分されている。
【０１０３】
領域７１０には、名称表示部７１１と、給湯温度設定部７１２と、風呂温度設定部７１３と、風呂湯量設定部７１４と、浴槽画像７１５と、が含まれる。名称表示部７１１には、名称表示部６１１と同様、当該給湯装置１０に付された名称が表示される。
【０１０４】
給湯温度設定部７１２、風呂温度設定部７１３とおよび風呂湯量設定部７１４には、それぞれ、現在の給湯温度、風呂温度および風呂湯量の設定状態が示される。さらに、操作者は、給湯温度設定部７１２、風呂温度設定部７１３および風呂湯量設定部７１４に対する操作により、給湯温度、風呂温度および風呂湯量を変更できる。浴槽画像７１５には、現在の風呂湯量の設定状態が浴槽に溜められる水の画像として表示される。
【０１０５】
領域７２０に含まれる各ボタン７２１〜７２４は、操作可能に有効化されている。ボタン７２１〜７２４は、図８（ａ）のボタン６２１〜６２４に対応する。操作者は、これらのボタン７２１〜７２４を操作することにより、名称表示部７１１に表示された給湯装置１０に対して、各ボタン７２１〜７２４に対応する設定を行うことができる。遠隔操作画面７００では、操作者からの設定操作に応じた情報が、随時、サーバ５０に送信され、さらに、サーバ５０から台所リモコン１３に送信される。これにより、遠隔操作の対象の給湯装置１０に所定の設定が行われる。
【０１０６】
なお、図８（ａ）、（ｂ）に示すとおり、遠隔監視画面６００と遠隔操作画面７００とでは、領域６１０、７１０の背景色が互いに相違している。たとえば、領域６１０の背景色は黄色に設定され、領域７１０の背景色は緑色に設定される。これにより、操作者は、図８（ａ）、（ｂ）のように、遠隔監視画面６００と遠隔操作画面７００のレイアウトが同様であっても、この背景色により、遠隔操作と遠隔監視の何れを行っているかを明確に把握できる。よって、各種別の遠隔制御を、円滑に進めることができる。
【０１０７】
＜実施形態の効果＞
本実施形態によれば、以下の効果が奏され得る。
【０１０８】
図３（ａ）、（ｂ）に示した受付処理において、携帯端末装置３０と給湯装置１０との対応付けとともに、給湯装置１０に対する遠隔制御の種類（遠隔操作／遠隔監視）の選択が受け付けられる。よって、操作者は、携帯端末装置３０と給湯装置１０との対応づけと、当該給湯装置１０に対する遠隔制御の種類の設定とを、間違うことなく正確に行うことができる。また、受付処理において対応付けと遠隔制御の種類の設定が行えるため、操作者は、簡便に作業を進めることができる。
【０１０９】
図３（ａ）、（ｂ）の制御（ペアリングの受付処理）では、たとえば、図３（ｂ）のステップＳ２２〜Ｓ２４のシーケンスにおいて、携帯端末装置３０と給湯装置１０との対応付けをサーバ５０に送信するステップ（Ｓ２４）よりも前段階において、遠隔制御の種類の選択が受け付けられ（Ｓ２２）、選択された遠隔制御の種類と対応付けとがサーバ５０に送信される（Ｓ２４）。これにより、操作者は、ペアリングの判定結果がサーバ５０から返信されるのを待った後に遠隔制御の種類の選択を行うといった手続を踏まなくてよく、簡便な作業で円滑かつ正確に、遠隔制御の種類の選択および設定を行うことができる。
【０１１０】
また、図４（ａ）に示したように、ペアリングの受付処理では、遠隔制御の種類（遠隔操作／遠隔監視）を選択するための選択ボタン４１２、４１３（操作部）と、受付処理を確定させるための確定ボタン４１４（操作部）とを含む受付画面４１０が表示される。そして、確定ボタン４１４が操作されたことに応じて、操作者により選択された遠隔制御の種類と対応付けとを含むペアリング結果がサーバ５０に送信される。これにより、操作者は、受付画面４１０に含まれる選択ボタン４１２、４１３および確定ボタン４１４を操作することにより、サーバ５０に対する対応付けの送信と遠隔制御の種類の送信とを進めることができる。よって、操作者は、極めて簡便な作業により円滑かつ正確に、対応付けの設定と遠隔制御の種類の設定を行うことができる。
【０１１１】
また、上記実施形態では、同一の携帯端末装置３０に設定され得る遠隔操作の対象の給湯装置１０の数が、２つ以上の所定の数に制限されている。これにより、不意に給湯装置１０の設定が変更される可能性を抑えることができる。よって、給湯システム１をより円滑かつ適切に運用することができる。
【０１１２】
また、上記実施形態では、同一の前記携帯端末装置３０に設定され得る遠隔監視の対象の給湯装置１０の数が、２つ以上の所定の数に制限されている。これにより、不意に給湯装置１０の状況が第三者により参照されるリスクを抑えることができる。よって、給湯システム１をより適切に運用することができる。
【０１１３】
なお、遠隔操作の対象として想定され得る給湯装置１０の数は、遠隔監視の場合に比べて少なく設定されることが好ましい。これにより、給湯システム１を円滑かつ適切に運用することができる。
【０１１４】
また、本実施形態では、図８（ａ）、（ｂ）に示したように、遠隔制御の実行時に、遠隔制御の種類（遠隔操作／遠隔監視）に応じて携帯端末装置３０の表示部３０１に表示させる画面（遠隔監視画面６００、遠隔操作画面７００）が変更される。具体的には、遠隔監視時と遠隔操作時とを区別するための表示（領域６１０、７１０の背景色）が遠隔監視画面６００、遠隔操作画面７００）に含まれている。これにより、操作者は、現在、対象の給湯装置１０に対してどのような遠隔制御を行っているかを明確に把握することができる。よって、操作者は、所望の遠隔制御を円滑に進めることができる。
【０１１５】
＜変更例＞
上記実施形態では、各給湯装置１０に対する遠隔制御の種別がサーバ５０のみにおいて管理されたが、遠隔制御の種別がさらに携帯端末装置３０において保持されてもよい。
【０１１６】
図９（ａ）は、この場合に携帯端末装置３０の記憶部３０４に記憶されるペアリング情報の構成を示す図である。ここでは、図５（ｂ）のペアリング情報に比べて、遠隔制御の種別（遠隔操作／遠隔監視）が、各給湯装置１０のＩＤ情報に対応付けられている。携帯端末装置３０において管理される遠隔制御の種別（遠隔操作／遠隔監視）は、図３は、たとえば、図３（ｂ）のステップＳ２２において操作者が選択した種別がそのまま用いられる。
【０１１７】
このように携帯端末装置３０のペアリング情報に遠隔制御の種別（遠隔操作／遠隔監視）が含まれる場合、携帯端末装置３０の制御部３０３は、自身で、遠隔制御の種別が最大数に到達したか否かを判定し、その判定結果に基づいて、図４（ａ）に示したペアリングの受付画面４１０を調整する。すなわち、当該携帯端末装置３０に既に設定されている遠隔制御の各種別の数が、各種別の最大設定数に到達している場合、携帯端末装置３０の制御部３０３は、最大設定数に到達している遠隔制御の種別を、受付画面４１０において選択できないように調整する。
【０１１８】
たとえば、図９（ｂ）の例では、遠隔操作の設定数が既に最大設定数に到達しているため、受付画面４１０に含まれる遠隔操作のための選択ボタン４１２が、操作不能に無効化されている。また、ここでは、受付画面４１０に、遠隔操作の設定が最大設定数に到達しているため遠隔操作が選択できないことを示すメッセージ４１５と、操作を中止するためのキャンセルボタン４１６が含まれている。操作者は、メッセージ４１５により、遠隔操作の設定ができないことを、直ちに把握できる。
【０１１９】
キャンセルボタン４１６が操作されると、携帯端末装置３０におけるペアリングの受付処理が終了する。この場合、携帯端末装置３０から台所リモコン１３にペアリング要求が送信されない。このため、図３（ａ）のステップＳ１３の判定がＮＯとなり、台所リモコン１３におけるペアリングの受付処理が終了する。
【０１２０】
また、図９（ａ）に示すように、携帯端末装置３０のペアリング情報に遠隔制御の種別（遠隔操作／遠隔監視）が含まれる場合、携帯端末装置３０の制御部３０３は、自身のペアリング情報に含まれた遠隔制御の種別（遠隔操作／遠隔監視）に基づいて、図６（ｂ）に示した選択画面５２０を調整する。すなわち、制御部３０３は、図６（ａ）の選択画面５１０において所定の名称に対応する選択キー５１２ａが選択されると、図９（ａ）に示したペアリング情報を参照し、選択された名称に対応する遠隔制御の種別（遠隔操作／遠隔監視）をペアリング情報から抽出する。そして、制御部３０３は、選択画面５２０に含まれる選択ボタン５２２、５２３のうち、ペアリング情報から抽出した遠隔制御の種別（遠隔操作／遠隔監視）に対応する選択ボタンのみを有効化する。
【０１２１】
たとえば、図６（ａ）の選択画面５１０で選択された名称に対してペアリング情報において遠隔監視のみが対応付けられている場合、図１０（ａ）に示す選択画面５２０が携帯端末装置３０の表示部３０１に表示される。ここでは、対象の名称に遠隔監視のみが対応付けられているため、遠隔監視に対応する選択ボタン５２３は有効化され、遠隔操作に対応する選択ボタン５２２は無効化されている。これにより、操作者は、当該給湯装置１０に対しては、遠隔監視のみが可能であることを、直ちに把握することができる。
【０１２２】
＜その他の変更例＞
上記実施形態では、図８（ａ）、（ｂ）に示したように、領域６１０、７１０の背景色によって遠隔監視と遠隔操作とが区別可能とされたが、遠隔監視と遠隔操作とを区別可能とする形態は、これに限られるものではない。たとえば、図１０（ｂ）に示すように、遠隔監視画面６００に、当該画面が遠隔監視に用いる画面であることを示す文字表記６１７が含まれてもよい。なお、図１０（ｂ）では、浴室に入室している人を示す画像Ｍ２が領域７１０に含まれている。
【０１２３】
また、上記実施形態では、１つの携帯端末装置３０に設定可能な遠隔操作の数および遠隔監視の数の一例として、それぞれ、４および１０を例示したが、１つの携帯端末装置３０に設定可能な遠隔操作の数および遠隔監視の数は、これに限られるものではない。また、１つの携帯端末装置３０に設定可能な遠隔操作の数および遠隔監視の数は、必ずしも互いに相違していなくてもよく、これら２つの数が同じであってもよい。
【０１２４】
また、遠隔制御の種別は、必ずしも、遠隔操作と遠隔監視に限られるものではなく、さらに他の遠隔制御の種別が含まれてもよい。
【０１２５】
また、ペアリングの受付画面や遠隔制御の受付画面、および遠隔制御実行時の画面は、上記実施形態に示したものに限られるものではなく、レイアウトや項目等が適宜変更され得るものである。
【０１２６】
上記実施形態では、給湯装置１０を構成する台所リモコン１３に無線通信部１３６が設けられたが、無線通信部が給湯器１１に設けられて給湯器１１がルータ２０に接続されてもよい。この場合、上記実施形態における台所リモコン１３による制御は、給湯器１１の制御部１１１によって行われる。あるいは、給湯器１１、浴室リモコン１２および台所リモコン１３以外に無線通信部を備えた制御ユニットが給湯装置１０に配置され、この制御ユニットがルータ２０に接続されてもよい。この場合、上記実施形態における台所リモコン１３による制御は、制御ユニットの制御部によって行われる。
【０１２７】
なお、特許請求の範囲に記載された制御部の制御は、給湯装置１０、携帯端末装置３０およびサーバ５０によって分担されてもよく、あるいは、給湯装置１０、携帯端末装置３０およびサーバ５０の１つが行ってもよい。
【０１２８】
たとえば、実施形態では、請求項１に記載の制御部の制御が、図３（ａ）、（ｂ）に示したように、主として、台所リモコン１３の制御部１３３と携帯端末装置３０の制御部３０３によって共同で実行されたが、携帯端末装置３０を宅内Ｈ１０に持ち込むことなく、携帯端末装置３０からサーバ５０にアクセスして、給湯装置１０と携帯端末装置３０とのペアリングを行う構成の場合は、請求項１に記載の制御部の制御は、たとえば、携帯端末装置３０の制御部３０３とサーバ５０の制御部５０１とによって共同で実行され、あるいは、これに台所リモコン１３の制御部１３３を共同させて実行され得る。
【０１２９】
この他、本発明の実施形態は、特許請求の範囲に記載の範囲で適宜種々の変更可能である。
【符号の説明】
【０１３０】
１  給湯システム
１０  給湯装置
１１  給湯器
１３  台所リモコン
３０  携帯端末装置
４０  外部通信網
５０  サーバ
１３３  制御部
３０３  制御部
５０１  制御部
【図１】
2020017900.tif 000003
【図２】
2020017900.tif 000004
【図３】
2020017900.tif 000005
【図４】
2020017900.tif 000006
【図５】
2020017900.tif 000007
【図６】
2020017900.tif 000008
【図７】
2020017900.tif 000009
【図８】
2020017900.tif 000010
【図９】
2020017900.tif 000011
【図１０】
2020017900.tif 000012